(57)【要約】【課題】後付の補助タンクを用いた場合でも、貯水タンクの基本構造をそのまま使用でき、洗浄水量の増大の要請を満たすと共に補助タンク内への洗浄水の給水及び補助タンクの洗浄水の便器本体への給水を行うことができる水洗大便器を提供する。【解決手段】本発明の水洗大便器1は、便器本体2と、この便器本体の洗浄をするための洗浄水を貯水する貯水タンク20と、この貯水タンク内の水を吸引して便器本体に供給する加圧ポンプ22と、貯水タンクと加圧ポンプを接続しその吸込口40が貯水タンク内に開口しているポンプ給水管38と、を有し、貯水タンク20には、その底面と貯水時の最高水位WFLとの間の位置に開閉可能な開口20aが形成され、この貯水タンクの開口に後付の補助タンク24の接続口24aが水密固定されている。【選択図】図３
2010236201.tif 000002
【特許請求の範囲】
【請求項１】
便器本体と、
この便器本体の洗浄をするための洗浄水を貯水する貯水タンクと、
この貯水タンク内の水を吸引して上記便器本体に供給する加圧ポンプと、
上記貯水タンクと上記加圧ポンプを接続しその吸込口が貯水タンク内に開口しているポンプ給水管と、を有し、
上記貯水タンクには、その底面と貯水時の最高水位との間の位置に開閉可能な開口が形成され、この貯水タンクの開口に後付の補助タンクの接続口が水密固定されていることを特徴とする水洗大便器。
【請求項２】
上記貯水タンクの開口は、上記ポンプ給水管の吸込口近傍の貯水タンク側面に形成されている請求項１記載の水洗大便器。
【請求項３】
上記貯水タンクは、貯水タンク内の上方に設けられ貯水タンク内に供給される洗浄水の水位を検出する上方水位検出手段と、貯水タンク内の下方に設けられ貯水タンク内の洗浄水が上記加圧ポンプにより上記便器本体へ供給されるときの貯水タンク内の洗浄水の水位を検出する下方水位検出手段を有し、上記貯水タンクの開口は、上記ポンプ給水管の吸込口近傍の貯水タンク側面であり且つ下方水位検出手段より下方でポンプ給水管の吸込口より上方の位置に形成されている請求項１記載の水洗大便器。
【請求項４】
上記補助タンクの接続口の大きさは、貯水タンクの水位降下速度と補助タンクの水位降下速度がほぼ同じとなるような面積に設定されている請求項１乃至３の何れか１項に記載の水洗大便器。
【請求項５】
前記補助タンクは、可撓性を有する請求項１乃至４の何れか１項に記載の水洗大便器。
【請求項６】
前記補助タンクは、可撓性を有するホースである請求項５に記載の水洗大便器。
【発明の詳細な説明】
【技術分野】
【０００１】
本発明は、水洗大便器に係り、特に、貯水タンクの洗浄水を加圧タンクにより吸引して便器本体へ供給する水洗大便器に関する。
【背景技術】
【０００２】
近年、水道水の水圧を直接利用することにより、貯水タンクを不要とした、所謂、タンクレス便器が使用されている。このタンクレス便器は、貯水タンク内の洗浄水の重力を用いた便器に比べ便器高さを低くしてコンパクトなものとなっている。しかしながら、このタンクレス便器は、水道水の給水圧が低い地域で使用すると、必要な圧力及び水量を得ることができず、洗浄不良を引き起こすことがあった。
【０００３】
そこで、このような問題を解決する便器として、特許文献１には、貯水タンク内の洗浄水を加圧ポンプにより吸引して便器に供給することにより、水道水の給水圧に影響を受けないコンパクトな水洗大便器が提案されている。
【０００４】
ここで、便器からの汚物が排出される下水配管として、一般のものより内径が小さいものが使用されている地域では、洗浄水量が少ないと排泄物の流れが停止してしまい、その滞留により下水配管が詰まる恐れが有る。そのため、下水配管を管理する行政側から、設備保護を目的として、洗浄水量の変更、特に、洗浄水量を多くすることが要望されることがある。
【０００５】
このような行政側から要望に答えるために、貯水タンクの洗浄水量を変更することができる水洗大便器として、例えば、特許文献２には、貯水タンク内に配置された排水弁の閉止タイミングを排水弁に固定されたフロートの位置でデッドウォータライン（ＤＷＬ）を調整して、洗浄水量を変更するものが知られている。
【先行技術文献】
【特許文献】
【０００６】
【特許文献１】特許４１１０５７８号公報
【特許文献２】実用新案登録第３０８８５２６号公報
【発明の概要】
【発明が解決しようとする課題】
【０００７】
しかしながら、特許文献２を含む従来の水洗大便器においては、洗浄水量を多くする要請に対応することができるように、予め十分な貯水タンクの容量を確保しておき、その容量の範囲内で洗浄水量を増減して対応するようにしていた。
一方、上述した特許文献１に示された貯水タンクと加圧ポンプを備えたコンパクトな水洗大便器においては、節水化の要請により、貯水タンク容量が極力小さくなるように設計されており、そのため、特許文献２の技術を適用することができず、洗浄水量を多くする要請に対して、対応することができないものであった。
【０００８】
本発明は、上述した従来技術の問題点を解決するためになされたものであり、後付の補助タンクを用いた場合でも、貯水タンクの基本構造をそのまま使用でき、洗浄水量の増大の要請を満たすと共に補助タンク内への洗浄水の給水及び補助タンクの洗浄水の便器本体への給水を行うことができる水洗大便器を提供することを目的としている。
【課題を解決するための手段】
【０００９】
上記の目的を達成するために、本発明の水洗大便器は、便器本体と、この便器本体の洗浄をするための洗浄水を貯水する貯水タンクと、この貯水タンク内の水を吸引して便器本体に供給する加圧ポンプと、貯水タンクと加圧ポンプを接続しその吸込口が貯水タンク内に開口しているポンプ給水管と、を有し、貯水タンクには、その底面と貯水時の最高水位との間の位置に開閉可能な開口が形成され、この貯水タンクの開口に後付の補助タンクの接続口が水密固定されていることを特徴としている。
このように構成された本発明においては、貯水タンクの開口に後付の補助タンクの接続口が水密固定されているので、便器本体の洗浄水量の増大の要請があったときには、貯水タンクの洗浄水量を補助タンクの洗浄水量により補うことができる。また、補助タンクの接続口が固定される貯水タンクの開口を貯水タンクの底面と貯水時の最高水位との間の位置に形成したので、水洗大便器の基本構造をそのまま使用しても、補助タンク内への洗浄水の給水、及び、補助タンクの洗浄水の便器本体への給水を行うことができる。
【００１０】
本発明において、好ましくは、貯水タンクの開口は、ポンプ給水管の吸込口近傍の貯水タンク側面に形成されている。
このように構成された本発明においては、貯水タンクの開口が、ポンプ給水管の吸込口近傍の貯水タンク側面に形成されているので、補助タンクの洗浄水自体が持つヘッド圧に加えて、加圧ポンプの吸込力を効果的に利用することにより、補助タンク内の洗浄水が残留しないように便器本体へ供給することができる。また、補助タンクが貯水タンクより下方設置された場合であっても、加圧ポンプの吸込力により補助タンクの洗浄水を搬出することができるので、必要な洗浄水の容量を確保することができる。
【００１１】
本発明において、好ましくは、貯水タンクは、貯水タンク内の上方に設けられ貯水タンク内に供給される洗浄水の水位を検出する上方水位検出手段と、貯水タンク内の下方に設けられ貯水タンク内の洗浄水が加圧ポンプにより上記便器本体へ供給されるときの貯水タンク内の洗浄水の水位を検出する下方水位検出手段を有し、貯水タンクの開口は、ポンプ給水管の吸込口近傍の貯水タンク側面であり且つ下方水位検出手段より下方でポンプ給水管の吸込口より上方の位置に形成されている。
このように構成された本発明においては、貯水タンクの開口が、ポンプ給水管の吸込口近傍の貯水タンク側面であり且つ下方水位検出手段より下方でポンプ給水管の吸込口より上方の位置に形成されているので、加圧ポンプの吸込力により、補助タンク内の洗浄水を効果的に利用することができる。さらに、貯水タンク内の洗浄水の水位が下方水位検出手段により検知されて加圧ポンプが停止しても、加圧ポンプの慣性力により、補助タンク内の下方水位検出手段より下方にある洗浄水が便器本体に供給可能となるので、補助タンクの下方水位の洗浄水も利用することができる。（注：加圧ポンプのエア噛み防止の観点はあえて記載しませんでした。）
【００１２】
本発明において、好ましくは、補助タンクの接続口の大きさは、貯水タンクの水位降下速度と補助タンクの水位降下速度がほぼ同じとなるような面積に設定されている。
このように構成された本発明においては、補助タンクの接続口の大きさが、貯水タンクの水位降下速度と補助タンクの水位降下速度がほぼ同じとなるような面積に設定されているので、補助タンクの洗浄水を抵抗が無い状態で排出することができ、補助タンク内の洗浄水を効果的に利用することができる。
【００１３】
本発明において、好ましくは、補助タンクは、可撓性を有する。
このように構成された本発明においては、補助タンクが可撓性を有するので、便器本体内に存在する隙間空間内に補助タンクを埋めるように収納することができる。これにより、便器の外観を大きく変えることなく補助タンクを固定することができる。
【００１４】
本発明において、好ましくは、補助タンクは、可撓性を有するホースである。
このように構成された本発明においては、可撓性を有するホースを補助タンクとして利用するので、便器本体の隙間空間内へ効果的に収納することができる。
【発明の効果】
【００１５】
本発明の水洗大便器によれば、後付の補助タンクを用いた場合でも、貯水タンクの基本構造をそのまま使用でき、洗浄水量の増大の要請を満たすと共に補助タンク内への洗浄水の給水及び補助タンクの洗浄水の便器本体への給水を行うことができる。
【図面の簡単な説明】
【００１６】
【図１】本発明の第１実施形態による水洗大便器を示す側面図である。
【図２】図１に示す水洗大便器の平面図である。
【図３】本発明の第１実施形態による水洗大便器を示す全体構成図である。
【図４】本発明の第１実施形態による水洗大便器の基本動作を示すタイムチャートである。
【図５】本発明の第２実施形態による水洗大便器の貯水タンク及び補助タンクを示す平面断面図である。
【図６】本発明の第３実施形態による水洗大便器の貯水タンク及び補助タンクを示す縦断面図である。
【図７】本発明の第４実施形態による水洗大便器の補助タンクを示す側面図である。
【図８】本発明の第５実施形態による水洗大便器を示す側面図である。
【発明を実施するための形態】
【００１７】
以下、添付図面を参照して、本発明の実施形態による水洗大便器を説明する。
先ず、図１乃至図４により、本発明の第１実施形態による水洗大便器を説明する。図１は、本発明の第１実施形態による水洗大便器を示す側面図であり、図２は、図１の水洗大便器の平面図であり、図３は、本発明の第１実施形態による水洗大便器を示す全体構成図であり、図４は、本発明の第１実施形態による水洗大便器の基本動作を示すタイムチャートである。
【００１８】
図１及び図２に示すように、本発明の第１実施形態による水洗大便器１は、便器本体２と、この便器本体２の上面に配置された便座４と、便座４を覆うように配置されたカバー６と、便器本体２の後方上部に配置された局部洗浄装置８と、を備えている。さらに、便器本体２の後方には、機能部１０が配置されており、この機能部１０はサイドパネル１１により覆われている。
【００１９】
便器本体２には、汚物を受けるボウル部１２と、このボウル部１２の底部から延びる排水トラップ管路１４と、排水トラップ管路１４の下端に接続された配水管１５と、ジェット吐水を行うジェット吐水口１６と、リム吐水を行うリム吐水口１８が形成されている。
ジェット吐水口１６は、ボウル部１２の底部に形成されており、排水トラップ管路１４の入口に指向してほぼ水平に配置され、洗浄水を排水トラップ管路１４に向けて吐水するようになっている。リム吐水口１８は、ボウル部１２の左側上部後方に形成されており、ボウル部１２の上縁に沿って洗浄水を吐出するようになっている。
【００２０】
本実施形態による水洗大便器１は、洗浄水を供給する水道に直結されており、水道の給水圧力によりリム吐水口１８から洗浄水が吐出される。また、ジェット吐水に関しては、後述するように、機能部１０に内蔵された貯水タンク２０に貯水された洗浄水を加圧ポンプ２２により吸引して大流量でジェット吐水口１６から吐出させるようになっている。
【００２１】
本実施形態においては、貯水タンク２０の後面側には、詳細は後述する後付の補助タンク２４が着脱自在に固定されている。
【００２２】
次に、図３により、本実施形態による水洗大便器１の機能部１０を説明する。図３に示すように、機能部１０には、水道から洗浄水が供給される給水路２５が設けられ、この給水路２５には、主な機器として、定流量弁２６、ダイヤフラム式の電磁開閉弁２８、給水路切替弁３０がそれぞれ設けられている。給水路切替弁３０の下流側には、リム吐水口１８に洗浄水を供給するためのリム側給水路３２、及び、貯水タンク２０に洗浄水を供給するためのタンク側給水路３４が接続されている。
【００２３】
ここで、定流量弁２６を通過した洗浄水は、電磁開閉弁２８を通って、給水路切替弁３０により、リム側であるリム給水路３２からリム吐水口１８へ、又は、タンク側であるタンク側給水路３４から貯水タンク２０に供給されるようになっている。
これらの電磁開閉弁２８の開閉操作、及び、給水路切替弁３０の切替操作は、機能部１０のコントローラ３６により制御される。
【００２４】
貯水タンク２０と加圧ポンプ２２との間にはそれらを接続するポンプ給水路３８が設けられており、このポンプ給水路３８の上流端には吸込口４０が形成されている。また、加圧ポンプ２２とジェット吐水口１６との間にはそれらを接続するジェット給水路４２が設けられている。ここで、加圧ポンプ２２は、貯水タンク２０に貯水された洗浄水を吸引して、ジェット吐水口１６から吐出させるためのものである。加圧ポンプ２２の回転数や作動時間等は、機能部１０に設けられたコントローラ３６により制御される。
また、ポンプ給水路３８の貯水タンク２０内に位置する部分には、逆止弁であるジェット吐水用フラッパー弁４４及び水抜栓４６が設けられている。
【００２５】
さらに、貯水タンク２０の後述する上方フロートスイッチ５２よりも上方位置に、その一端が開口し、他端がジェット給水路４２に接続されたオーバーフロー流路４８が設けられている。このオーバーフロー流路４８には、逆止弁であるフラッパー弁５０が取り付けられている。
【００２６】
次に、貯水タンク２０の内部には、上方水位検出手段である上方フロートスイッチ５２、及び、下方水位検出手段である下方フロートスイッチ５４が配置されている。上方フロートスイッチ５２は、貯水タンク２０内の水位が所定の上方位置Ｌ１に達するとオン（ＯＮ）に切り替わり、コントローラ３６はこれを検知して、電磁開閉弁２８を閉鎖させる。下方フロートスイッチ５４は、貯水タンク２０内の水位が所定の下方水位Ｌ２まで低下するとオン（ＯＮ）に切り替わり、コントローラ３６はこれを検知して、加圧ポンプ２２を停止させる。
【００２７】
貯水タンク２０の背面側には、貯水タンク２０の底面と後述する最高水位であるＷＦＬとの間の位置に開閉可能な開口２０ａが形成されている。また、この貯水タンク２０の開口２０ａには、後付の補助タンク２４の接続口２４ａが水密固定されている。このように、補助タンク２４は、通常は、貯水タンク２０に取り付けられていないが、上述した洗浄水量の増大が要請されたような場合に、必要に応じて、貯水タンク２０に取り付けられるようになっている。
【００２８】
次に、図４により、本実施形態による水洗大便器の基本動作を説明する。なお、このタイムチャートでは、リム吐水の動作を省略している。ここで、本実施形態においては、満水時の水位が、ウォーターフローラインＷＦＬ（図３参照）となっている。
【００２９】
先ず、図４に示すように、満水状態において、ｔ１で示す時刻で加圧ポンプ２２が作動し、ジェット吐水が開始される。このとき、貯水タンク２０内の水位がウォーターフローラインＷＦＬを下回る。次に、加圧ポンプ２２が作動中でジェット吐水が行われているとき（時刻ｔ２）、貯水タンク２０内の水位が上方フロートスイッチ５２を下回り、上方フロートスイッチ５２がＯＮからＯＦＦとなる。
【００３０】
次に、ｔ３で示す時刻において、下方フロートスイッチ５４がＯＦＦからＯＮになると、加圧ポンプ２２が停止するとともにジェット吐水が終了する。なお、加圧ポンプ２２の流量は７０Ｌ／ｍｉｎ程度と比較的多い。従って、便器に供給する水量を一定に保つには時間制御では難しく、下方フロートスイッチ５４による検知により、加圧ポンプ２２を停止させるようにしている。ここで、貯水タンク２０内の水位は、加圧ポンプ２２の作動慣性量により下方フロートスイッチ５４よりも下方の位置であるウォーターデッドラインＷＤＬとなる。
【００３１】
その後、ｔ４で示す時刻において、電磁開閉弁２８が作動（ＯＦＦ→ＯＮ）して、貯水タンク２０への給水が開始される。このとき、貯水タンク２０内の水位は、ウォーターデッドラインＷＤＬである。そして、電磁開閉弁２８が作動して所定時間後のｔ５の時刻に、下方フロートスイッチ５４がＯＮからＯＦＦとなる。
【００３２】
その後、貯水タンク２０内の水位が上方フロートスイッチ５２の位置まで上昇すると、上方フロートスイッチ５２がＯＮとなり、電磁開閉弁２８が停止する。その後、ｔ７の時刻において、水位が満水状態であるウォーターフローラインＷＦＬとなり、一連の洗浄動作が終了する。
【００３３】
次に、本発明の第１実施形態による作用を説明する。本実施形態による水洗大便器における基本動作は上述した通りであるので、ここでは、後付の補助タンク２０を貯水タンク２０に取り付けた場合の作用を説明する。
本実施形態においては、貯水タンク２０の開口２０ａに後付の補助タンク２４の接続口２４ａが水密固定されているので、便器本体２の洗浄水量の増大の要請があったときには、貯水タンク２０の洗浄水量を補助タンク２４の洗浄水量により補うことができる。また、補助タンク２４の接続口２４ａが固定される貯水タンク２０の開口２０ａを貯水タンク２０の底面と貯水時の最高水位ＷＦＬとの間の位置に形成したので、水洗大便器１の基本構造をそのまま使用しても、補助タンク２４内への洗浄水の給水、及び、補助タンク２４の洗浄水のジェット吐水口への給水を行うことができる。
【００３４】
次に、図５により、本発明の第２実施形態による水洗大便器を説明する。図５は本発明の第２実施形態による水洗大便器の貯水タンク及び補助タンクを示す平面断面図である。第２実施形態において、第１実施形態と同一構成の部分の説明は省略し、異なる部分のみ説明する。
第２実施形態の水洗大便器においては、貯水タンク２０の開口２０ａが、ポンプ給水管３８の吸込口４０の近傍の貯水タンク２０の側面に形成されている。
【００３５】
第２実施形態の水洗大便器によれば、貯水タンク２０の開口２０ａが、ポンプ給水管３８の吸込口４０の近傍の貯水タンク２０の側面に形成されているので、補助タンク２４の洗浄水自体が持つヘッド圧に加えて、加圧ポンプ２２の吸込力を効果的に利用することにより、補助タンク２４内の洗浄水が残留しないようにジェット吐水口１６へ供給することができる。また、補助タンク２４が貯水タンク２０より下方設置された場合であっても、加圧ポンプ２２の吸込力により補助タンク２４の洗浄水を搬出することができるので、必要な洗浄水の容量を確保することができる。
【００３６】
次に、図６により、本発明の第３実施形態による水洗大便器を説明する。図６は本発明の第３実施形態による水洗大便器の貯水タンク及び補助タンクを示す縦断面図である。第３実施形態においても、第１実施形態と同一構成の部分の説明は省略し、異なる部分のみ説明する。
第３実施形態の水洗大便器においては、貯水タンク２０の開口２０ａが、ポンプ給水管３８の吸込口４０の近傍の貯水タンク２０の側面であり且つ下方フロートスイッチ５４より下方でポンプ給水管３８の吸込口４０より上方の位置に形成されている。
【００３７】
第３実施形態の水洗大便器においては、貯水タンク２０の開口２０ａが、ポンプ給水管３８の吸込口４０の近傍の貯水タンク２０の側面であり且つ下方フロートスイッチ５４より下方でポンプ給水管３８の吸込口４０より上方の位置に形成されているので、加圧ポンプ２２の吸込力により、補助タンク２６内の洗浄水を効果的に利用することができる。さらに、貯水タンク２０内の洗浄水の水位が下方フロートスイッチ５４により検知されて加圧ポンプ２２が停止しても、加圧ポンプ２２の慣性力により、補助タンク２６内の下方フロートスイッチ５４より下方にある洗浄水がジェット吐水口１６に供給可能となるので、補助タンク２６の下方水位の洗浄水も利用することができる。
【００３８】
次に、図７により、本発明の第４実施形態による水洗大便器を説明する。図７は本発明の第４実施形態による水洗大便器の補助タンクを示す側面図である。第４実施形態においても、第１実施形態と同一構成の部分の説明は省略し、異なる部分のみ説明する。
第４実施形態による水洗大便器においては、補助タンク２４の接続口２４ａの大きさは、貯水タンク２０の水位降下速度と補助タンク２４の水位降下速度がほぼ同じとなるような面積(十分に大きな開口面積)に設定されている。
【００３９】
第４実施形態による水洗大便器においては、補助タンク２４の接続口２４ａの大きさが、貯水タンク２０の水位降下速度と補助タンク２４の水位降下速度がほぼ同じとなるような面積に設定されているので、補助タンク２４の洗浄水を抵抗が無い状態で排出することができ、補助タンク内の洗浄水を効果的に利用することができる。
【００４０】
次に、図８により、本発明の第５実施形態による水洗大便器を説明する。図８は本発明の第５実施形態による水洗大便器を示す側面図である。
第５実施形態による水洗大便器において、補助タンク２４として、可能性を有するホース５６を用いている。
【００４１】
第５実施形態による水洗大便器においては、補助タンク２４として、可能性を有するホース５６を用いているので、便器本体内に存在する隙間空間内に補助タンクであるホース５６を埋めるように収納することができる。これにより、便器の外観を大きく変えることなく補助タンク２６を固定することができる。
なお、第５実施形態では、可撓性を有するホースを用いているが、このようなホース以外にも、樹脂製の可撓性パック（袋）を利用しても同様な効果を奏することができる。
【符号の説明】
【００４２】
１  水洗大便器
２  便座本体
２０  貯水タンク
２０ａ  開口
２２  加圧ポンプ
２４  補助タンク
２４ａ  接続口
３８  タンク給水管
４０  吸込口
５２  上方フロートスイッチ
５４  下方フロートスイッチ
５６  ホース
【図１】
2010236201.tif 000003
【図２】
2010236201.tif 000004
【図３】
2010236201.tif 000005
【図４】
2010236201.tif 000006
【図５】
2010236201.tif 000007
【図６】
2010236201.tif 000008
【図７】
2010236201.tif 000009
【図８】
2010236201.tif 000010